(57)【要約】【課題】局部発振器から信号選択回路に入力される局発信号が互いにもう一方の局部発振器側に回り込むことにより発生する不要なスプリアスを低減させた周波数変換器を提供する。【解決手段】前記の目的を達成するため本発明に係る周波数変換器は、前記局部発振器1と前記信号選択回路3の間と前記局部発振器2と前記信号選択回路3の間とにそれぞれ外部制御信号により所望の周波数の信号のみが通ることのできるよう利得を切替えることができる増幅器を備えた構成になっている。この前記増幅器の利得を前記外部制御信号で選択される所望の周波数の信号のみが通るよう切替えることにより前記信号選択回路3に入力される2つの信号の入力レベルを調整し互いに回り込む信号のレベルを抑えることにより不要なスプリアスの発生を低減することができるものである。【選択図】図１
2006114965.tif 000002
【特許請求の範囲】
【請求項１】
少なくとも２つ以上の局部発振器と
前記局部発振器から１つの局発信号を選択する信号選択回路と
前記局発信号を周波数変換する周波数変換回路から構成される周波数変換器において、
前記信号選択回路はコレクタと負荷を共通にする少なくとも２つ以上の差動増幅器から構成され、
前記複数の局部発振器と前記信号選択回路の間には外部制御信号により利得を切替える手段を持つ増幅器がそれぞれ接続され、前記増幅器は全て前記外部制御信号により所望の局発信号のみが通過するように利得制御されることを特徴とする周波数変換器。
【請求項２】
請求項１の周波数変換器において、少なくとも１つ以上の局部発振器と
前記局部発振器から出力された局発信号を異なる周波数の局発信号に分周する２つ以上の分周器とを備え
前記複数の分周器と前記信号選択回路の間には外部制御信号により利得を切替える手段を持つ増幅器がそれぞれ接続されることを特徴とする周波数変換器。
【請求項３】
請求項１または２の周波数変換器において、それぞれの増幅器と信号選択回路の間に所望の周波数の信号のみを通過するフィルターを備えることを特徴とする周波数変換回路。
【発明の詳細な説明】
【技術分野】
【０００１】
本発明は複数の周波数帯を持つ携帯電話端末等の無線通信機に使われる周波数変換器に関し、特に出力信号に不要なスプリアス成分が含まれないように構成した周波数変換器に属する。
【背景技術】
【０００２】
近年、携帯電話端末等の無線通信機は小型化する傾向にあり使用される部品も集積化などによる部品点数の削減を要求されている。周波数変換器においても局部発振器を他の回路と共用するなどの集積化が行われており、特に送信、受信の信号処理部では大規模な集積化が進み、それに伴いIC内部での信号干渉が大きな問題となってきている。
【０００３】
従来の周波数変換器としては図２に示すものが知られている。図２において、1は第1の局部発振器、2は第2の局部発振器、3は信号選択回路、4は周波数変換器、5は局部発振器２の局発信号を共用する別の回路ブロックである。また、前記信号選択回路3は図３に示すようにトランジスタ31、33（以後Tr）は、それぞれのコレクタと36の負荷R1とを共通にし、Tr32、34は、それぞれのコレクタと35の負荷R2を共通にする2つの差動増幅回路から構成されており、Tr31、32のベースを前記局部発振器1からの入力a、Tr33、34のベースを前記局部発振器2からの入力bとしている。
【０００４】
次に動作を説明する。前記局部発振器1から出力された周波数f1の局発信号は前記信号選択回路3の入力aに入力され、前記局部発振器2から出力された周波数f2の局発信号は前記信号選択回路3の入力bに入力される。前記信号選択回路3は、前記入力aに入力された前記周波数f1の信号を選択する場合は電流源37の電流を流し、電流源38の電流を流さないようにすると共に、Tr31、32からなる差動増幅回路39を動作させる。前記入力bに入力された前記周波数f2の信号を選択する場合は、電流源38の電流を流し電流源37の電流を流さないようにしTr33、34からなる差動増幅回路40を動作させることによって所望の周波数の信号を選択し、周波数変換回路4に入力する。一方、前記局部発振器2から出力された前記局発信号f2は別の回路ブロック5にも入力され使用される。
【特許文献１】特開平１１−６８８６３号公報
【発明の開示】
【発明が解決しようとする課題】
【０００５】
しかしながらこの周波数変換器の構成によると、前記信号選択回路3はTr31とTr33のコレクタと負荷36が共通であり、Tr32とTr34のコレクタと負荷35が共通であるため、それぞれ共通とするコレクタと負荷を介して、前記局発信号f2がTr33、34のコレクタから前記局発信号f1を選択する前記差動増幅回路39のTr31、32のコレクタへ回り込み、前記局発信号f1がTr31、32のコレクタから前記局発信号f2を選択する前記差動増幅回路40のTr33、34のコレクタへと回り込んでしまい、どちらか選択された周波数の局発信号と選択されていない周波数の局発信号が一緒に前記周波数変換器4の方まで通過し周波数変換され出力信号に不要のスプリアスとなり出力されてしまう。
【０００６】
例えば、前記信号選択回路3によって入力aの局発信号f1が選ばれたとする。この時局部発振器2は別の回路ブロック5に局発信号f2を送るため動作している状態であり前記局発信号f2は信号選択回路3の入力bにも入力され前記Tr33、34のコレクタを介して前記Tr31、32のコレクタへと回り込み、前記差動増幅回路39により所望の局発信号f1と共に前記周波数変換回路4に入力され、出力信号に不要なスプリアスとして出力される。また前記局発信号f1においても前記Tr31、32のコレクタを介して前記Tr33、34のコレクタに回り込み、入力bを経て別の回路ブロック5に入力され前記別の回路ブロックの出力信号に不要なスプリアスを発生させることがある。不要なスプリアスは希望波の妨害波となる為除去されねばならない。
【０００７】
本発明は、上記従来の問題を解決するもので、出力信号に含まれる不要なスプリアスを低減させることを目的とする。
【課題を解決するための手段】
【０００８】
前記の目的を達成するため本発明に係る周波数変換器は、前記局部発振器1と前記信号選択回路3の間と前記局部発振器2と前記信号選択回路3の間とにそれぞれ外部制御信号により所望の周波数の信号のみが通ることのできるよう利得を切替えることができる増幅器を備えた構成になっている。この前記増幅器の利得を前記外部制御信号で選択される所望の周波数の信号のみが通るよう切替えることにより前記信号選択回路3に入力される2つの信号間のアイソレーションをとり、上記のような信号の漏れから発生するスプリアスを低減することができるものである。
【発明の効果】
【０００９】
本発明に係る周波数変換器によると、２つの局発信号が、信号選択回路のアイソレーション不足によりその回路の出力部で干渉を起こし、不要な成分が周波数変換器に注入されることを防ぎ、出力信号に混入される不要なスプリアス成分を大きく低減することができる。
【発明を実施するための最良の形態】
【００１０】
（第１の実施形態）
以下、本発明の第１の実施形態に係る周波数変換器の構成について、図面を参照しながら説明する。
【００１１】
図１は本発明の請求項１に記載された発明の実施例であり、前述の従来例の構成に加え、前記局部発振器1と前記信号選択回路3の間に外部制御信号により利得を制御された増幅器6と、前記局部発振器2と別回路につながる経路の分岐点と前記信号選択回路3の間に外部制御信号により利得を制御された増幅器7と前記増幅器6、7の利得をそれぞれ制御する外部制御信号回路8を備えた構成になっている。この構成により、前記信号選択回路3によって前記局部発振器1の局発信号f1が選択されるときには、前記外部制御信号8により前記局部発振器1と前記信号選択回路3の間に備えられた前記増幅器6の利得をあげ、選択されなかった局発信号f2を発生する前記局部発振器2と前記周波数選択回路3の間に備えられた前記増幅器7の利得を下げることにより、前記信号選択回路3に入力される前記選択されていない周波数の局発信号f2の信号レベルを低くし、前記Tr31、32のコレクタを介して前記局発信号f2が前記局発信号f1に回り込むのを防ぐ。また前記局発信号f1が前記Tr33、34のコレクタを介して前記局発信号f2の入力側に回り込んでも、前記増幅器7によって前記別の回路ブロック5に前記局発信号f1が回り込むのを防ぐことができる。信号選択回路3によって前記局部発振器2の局発信号f2が選択されるときも同様に、前記外部制御信号8により前記増幅器7の利得をあげ、前記増幅器6の利得を下げることにより信号選択回路3に入力される前記局発信号f1の入力レベルを低くしコレクタを介して前記局発信号f2に回り込むのを防ぐ。これにより出力信号に発生する不要なスプリアスを減少することができる。
【００１２】
（第２の実施形態）
図４は本発明の請求項２に記載された発明の実施例であり、前記請求項１の周波数変換器において、2つ以上の局部発振器の代わりに少なくとも1つ以上の局部発振器と前記局部発振器から出力された局発信号を異なる周波数の局発信号に分周する2つ以上の分周器9、10とを備え前記複数の分周器と前記信号選択回路の間には外部制御信号により利得を切替える手段を持つ増幅器がそれぞれ接続されることを特徴とする周波数変換器であり、前記請求項１の実施例と同様の効果を得るものである。
【００１３】
（第３の実施形態）
図５は本発明の請求項３に記載された発明の実施例であり、請求項１または２の周波数変換器において、それぞれの増幅器6、7と信号選択回路3の間に所望の周波数の信号のみを通過するフィルター11、12を備えることを特徴とする周波数変換回路であり、前記請求項１、２の発明の効果をさらに増加させるものである。
【産業上の利用可能性】
【００１４】
以上説明したように、本発明は、２つ以上の局発周波数が存在する無線伝送システムにおいて、出力信号に含まれる不要なスプリアスを低減した周波数変換器に有用な構成を提供できる。
【図面の簡単な説明】
【００１５】
【図１】本発明の第１の実施形態に係る周波数変換器の構成を示すブロック図
【図２】従来の周波数変換器の構成を示すブロック図
【図３】信号選択回路3を構成する差動増幅回路を示す図
【図４】本発明の第２の実施形態に係る周波数変換器の構成を示すブロック図
【図５】本発明の第３の実施形態に係る周波数変換器の構成を示すブロック図
【符号の説明】
【００１６】
１  第1の局部発振器
２  第2の局部発振器
３  信号選択回路
４  周波数変換回路
５  別の回路ブロック
６  増幅器
７  増幅器
８  外部制御信号回路
９  分周器
１０  分周器
１１  フィルター
１２  フィルター
３１  トランジスタQ1
３２  トランジスタQ2
３３  トランジスタQ3
３４  トランジスタQ4
３５  負荷抵抗R2
３６  負荷抵抗R1
３７  電流源Ioa
３８  電流源Iob
３９  差動増幅回路
４０  差動増幅回路
【図１】
2006114965.tif 000003
【図２】
2006114965.tif 000004
【図３】
2006114965.tif 000005
【図４】
2006114965.tif 000006
【図５】
2006114965.tif 000007